(57)【要約】      （修正有）【課題】ユーザ個々の要求に見合った課金が行え、適正な利用料金とすることを可能とする。【解決手段】利用者コンピュータ１が接続されるＡＳＰサーバ２にネットワークＡから通信回線１０Ａを介してアプリケーションを実行する処理コンピュータ３〜５を接続すると共に、ネットワークＡに各処理コンピュータの負荷状況を監視する負荷状況監視用コンピュータ９を接続し、アプリケーションサービスを利用する際に、利用者コンピュータ１の表示画面上に、各処理コンピュータの負荷状況や課金単価の情報を表示し、また、選択されている処理コンピュータに対応する項目を網掛け表示する。これにより、ユーザ個々の要求に見合った、実際に利用するコンピュータ資源に対応した適正な使用料の算出が可能となる。【選択図】図１
2005135033.tif 000002
【特許請求の範囲】
【請求項１】
ネットワークを介して、利用者端末に対して所望のアプリケーションによるデータ処理のサービスを提供するアプリケーションサービスシステムであって、
データ処理を実行する複数の処理コンピュータと、
前記複数の処理コンピュータの中から、データ処理を実行させる処理コンピュータを選択する手段と、
前記複数の処理コンピュータの各々の負荷を監視する手段と、
前記複数の処理コンピュータ毎に、前記負荷に係る情報とデータ処理の実行にあたっての使用料に係る情報とを対にすると共に、データ処理の実行が選択された前記処理コンピュータに対応する情報と、他の前記処理コンピュータに対応する情報とを異なる表示形式として、前記利用者端末の表示部に表示させる手段と、
を備えることを特徴とするアプリケーションサービスシステム。
【請求項２】
前記表示部に表示させる手段は、データ処理を実行する前記処理コンピュータに対する利用者の指定を受付ける領域を前記表示部上に設定し、
前記処理コンピュータを選択する手段は、前記領域にて指定された前記処理コンピュータを、データ処理を実行させる処理コンピュータとして選択する
ことを特徴とする請求項１に記載のアプリケーションサービスシステム。
【請求項３】
前記表示部に表示させる手段は、前記指定を受付ける領域を、前記負荷に係る情報が表示されている領域と前記使用料に係る情報が表示されている領域との少なくとも一方に設定する
ことを特徴とする請求項２に記載のアプリケーションサービスシステム。
【請求項４】
前記処理コンピュータに係わるコンピュータ資源情報を格納する手段を更に有し、
前記表示部に表示させる手段は、前記コンピュータ資源情報を前記表示部に表示すると共に、データ処理の実行が指定された前記処理コンピュータに対応する前記コンピュータ資源情報を、他の前記処理コンピュータに対応する前記コンピュータ資源情報とは異なる表示形式で表示させる
ことを特徴とする請求項２に記載のアプリケーションサービスシステム。
【請求項５】
前記表示部に表示させる手段は、前記指定を受付ける領域に、前記コンピュータ資源情報に基づいた、前記処理コンピュータを選択するための条件を入力する領域を設定し、
前記選択する手段は、前記条件に基づき、前記コンピュータ資源情報を参照してデータ処理を実行させる前記処理コンピュータを選択する
ことを特徴とする請求項４に記載のアプリケーションサービスシステム。
【請求項６】
ネットワークを介して、利用者端末に対して所望のアプリケーションによるデータ処理のサービスを提供するアプリケーションサービス方法であって、
データ処理を実行する複数の処理コンピュータの中から、データ処理を実行させる処理コンピュータを選択し、
前記複数の処理コンピュータの各々の負荷を監視し、
前記複数の処理コンピュータ毎に、前記負荷に係る情報とデータ処理の実行にあたっての使用料に係る情報とを対にすると共に、データ処理の実行が設定された前記処理コンピュータに対応する情報と、他の前記処理コンピュータに対応する情報とを異なる表示形式として、前記利用者端末の表示部に表示させる
ことを特徴とするアプリケーションサービス方法。
【請求項７】
ネットワークを介して、利用者端末に対して所望のアプリケーションによるデータ処理のサービスを提供するアプリケーションサービスプログラムであって、
前記ネットワークに接続されて前記サービスの提供に係るコンピュータを、
データ処理を実行する複数の処理コンピュータの中から、データ処理を実行させる処理コンピュータを選択する手段、
前記複数の処理コンピュータの各々の負荷を監視する手段、
前記複数の処理コンピュータ毎に、前記負荷に係る情報とデータ処理の実行にあたっての使用料に係る情報とを対にすると共に、データ処理の実行が選択された前記処理コンピュータに対応する情報と、他の前記処理コンピュータに対応する情報とを異なる表示形式として、前記利用者端末の表示部に表示させる手段、
として機能させることを特徴とするアプリケーションサービスプログラム。
【発明の詳細な説明】
【技術分野】
【０００１】
本発明は、所望のアプリケーションによるデータ処理サービスを提供するアプリケーションサービスシステム、アプリケーションサービス方法、及びアプリケーションサービスプログラムに関する。
【背景技術】
【０００２】
近年、インターネット等のネットワーク技術を利用して利用者にアプリケーション利用のサービスを提供する事業（アプリケーションサービスプロバイダ）が開始されており、利用者はネットワークを介して所望するサービスの提供を受けることができるようになった。
【０００３】
例えば、特許文献１には、気象情報に関するアプリケーションサービスが開示されており、このアプリケーションサービスでは、ユーザに対する気象情報の提供や、収集した気象情報による降雨予測、ユーザ施設運営、管理支援等のサービスを行う。
【特許文献１】特開２００３−６７５１４号公報
【発明の開示】
【発明が解決しようとする課題】
【０００４】
アプリケーションサービスプロバイダは、アプリケーションの利用に対する対価として課金を徴収するわけであるが、従来のアプリケーションサービスでは、必ずしもユーザ個々の要求に見合った課金ではなく、例えば、ＣＰＵ利用時間に応じた一律的な料金体系となり、適正な利用料金になりにくいといった面がある。このことは、利用者の拡大を難しくする一因にもなっている。
【０００５】
本発明は上記事情に鑑みてなされたもので、ユーザ個々の要求に見合った課金が行え、適正な利用料金とすることが可能なアプリケーションサービスシステム、アプリケーションサービス方法、及びアプリケーションサービスプログラムを提供することを目的としている。
【課題を解決するための手段】
【０００６】
上記目的を達成するため、本発明によるアプリケーションサービスシステムは、ネットワークを介して、利用者端末に対して所望のアプリケーションによるデータ処理のサービスを提供するアプリケーションサービスシステムであって、データ処理を実行する複数の処理コンピュータと、前記複数の処理コンピュータの中から、データ処理を実行させる処理コンピュータを選択する手段と、前記複数の処理コンピュータの各々の負荷を監視する手段と、前記複数の処理コンピュータ毎に、前記負荷に係る情報とデータ処理の実行にあたっての使用料に係る情報とを対にすると共に、データ処理の実行が選択された前記処理コンピュータに対応する情報と、他の前記処理コンピュータに対応する情報とを異なる表示形式として、前記利用者端末の表示部に表示させる手段とを備えるものである。
【０００７】
また、本発明によるアプリケーションサービス方法は、ネットワークを介して、利用者端末に対して所望のアプリケーションによるデータ処理のサービスを提供するアプリケーションサービス方法であって、データ処理を実行する複数の処理コンピュータの中から、データ処理を実行させる処理コンピュータを選択し、前記複数の処理コンピュータの各々の負荷を監視し、前記複数の処理コンピュータ毎に、前記負荷に係る情報とデータ処理の実行にあたっての使用料に係る情報とを対にすると共に、データ処理の実行が設定された前記処理コンピュータに対応する情報と、他の前記処理コンピュータに対応する情報とを異なる表示形式として、前記利用者端末の表示部に表示させるものである。
【０００８】
また、本発明によるアプリケーションサービスプログラムは、ネットワークを介して、利用者端末に対して所望のアプリケーションによるデータ処理のサービスを提供するアプリケーションサービスプログラムであって、前記ネットワークに接続されて前記サービスの提供に係るコンピュータを、データ処理を実行する複数の処理コンピュータの中から、データ処理を実行させる処理コンピュータを選択する手段、前記複数の処理コンピュータの各々の負荷を監視する手段、前記複数の処理コンピュータ毎に、前記負荷に係る情報とデータ処理の実行にあたっての使用料に係る情報とを対にすると共に、データ処理の実行が選択された前記処理コンピュータに対応する情報と、他の前記処理コンピュータに対応する情報とを異なる表示形式として、前記利用者端末の表示部に表示させる手段として機能させるものである。
【発明の効果】
【０００９】
本発明によれば、所望のアプリケーションによるデータ処理サービスの提供に際して、ユーザ個々の要求に見合った課金が行えることから適正な利用料金とすることが可能となり、利用者の拡大に貢献することができる。
【発明を実施するための最良の形態】
【００１０】
以下、図面を参照して本発明の実施の形態を説明する。図１〜図５は本発明の実施の一形態に係わり、図１はアプリケーションサービスシステムの全体構成図、図２は課金単価テーブルの説明図、図３はアプリケーションサービスシステムにおける処理の流れを示すフローチャート、図４及び図５は負荷状況及び課金単価の画面表示例を示す説明図である。
【００１１】
図１において、符号１は、アプリケーションサービスを利用する利用者の端末コンピュータ（以下、「利用者コンピュータ」と称する）、符号２は、アプリケーションサービスを提供するアプリケーションサービスプロバイダ（以下、ＡＳＰと略称する）が設置するサーバコンピュータ（以下、「ＡＳＰサーバ」と称する）であり、利用者コンピュータ１は、インターネット等の一般公開ネットワークを介してＡＳＰサーバ２に接続することができる。
【００１２】
ＡＳＰサーバ２は、ネットワークＡに接続されており、このネットワークＡには、通信回線１０Ａを介してアプリケーションを実行するための複数台の処理コンピュータが接続されている。図１においては、ＡＳＰサーバ２には、ネットワークＡから通信回線１０Ａを介して３台の処理コンピュータ３，４，５が接続される例を示している。
【００１３】
更に、ＡＳＰサーバ２は、ネットワークＡから通信回線１０Ｂを介してネットワークＢに接続される他のＡＳＰサーバ６と通信可能となっている。他のＡＳＰサーバ６は、ＡＳＰサーバ２を設置するＡＳＰと提携して同様なサービスを提供する他のＡＳＰが設置するサーバコンピュータであり、ネットワークＢから通信回線１０Ｃを介して、アプリケーションを実行するための複数台の処理コンピュータ、図１の例では、２台の処理コンピュータ７，８が接続されている。
【００１４】
また、ネットワークＡには、ネットワークＡに接続された処理コンピュータ３〜５（更には、ネットワークＢに接続された処理コンピュータ７，８）毎の負荷状況を監視する負荷状況監視用コンピュータ９が接続されている。各処理コンピュータ毎の負荷状況は、負荷状況監視用コンピュータ９からネットワークＡを介してＡＳＰサーバ２に提供され、更に、ＡＳＰサーバ２による制御の下、利用者コンピュータ１を介して処理コンピュータの設定に係わる情報の１つとして利用者に提供される。この利用者への情報の提供方法については後述する。
【００１５】
尚、図１においては、ネットワークＡに接続される処理コンピュータとして、３台の処理コンピュータ３〜５、他のネットワークＢに接続される処理コンピュータとして２台の処理コンピュータ７，８を備えた例を示しているが、この台数に限らず、更に多数備えても良いことは明らかである。同様に、他のＡＳＰサーバ６として１台が設置されている例を示しているが、この台数に限らず、更に多数備えても良いことは明らかである。
【００１６】
ここで、ＡＳＰサーバ２は、接続された利用者コンピュータ１に対する各種の入出力処理を主としてサービスの課金単価や各処理コンピュータ毎の負荷状況等の各種情報を利用者コンピュータ１を介して利用者に提供する入力処理部２Ａ、サービスの使用料を算出する使用料算出部２Ｂ、及び、使用料算出部２Ｂで使用料を算出する際の基礎となる課金係数を格納した課金単価テーブル２Ｃを備えている。
【００１７】
課金単価テーブル２Ｃには、図２に示すように、利用可能なコンピュータ資源情報、及び対応する課金係数の各データが格納されており、必要に応じて書き換えられる。利用可能なコンピュータ資源情報としては、例えば、図２中に示したような、ＣＰＵの種類、クロック周波数、メモリ量、ディスク量、実行優先度等があり、利用するアプリケーションの種類や他のＡＳＰサーバ（ここでは、ＡＳＰサーバ６）毎に、課金係数が纏められている。これにより、利用者の要求に応じた適正な使用料を算出することが可能となる。また、処理コンピュータの増減に対して、増減の対象となる処理コンピュータのコンピュータ資源に係る課金係数の変更も処理コンピュータ単位で行えるので、事業の拡張に柔軟に対応できる。
【００１８】
尚、課金単価テーブル２Ｃを書き換えるタイミングとしては、処理コンピュータの増設時或いは削減時は勿論のこと、他のＡＳＰとの提携時、課金係数の改定時等が挙げられる。また、処理コンピュータの増設に関しては、所謂、グリッドコンピューティング技術を適用して、ＣＰＵに空きがあるときに使用可能なコンピュータを、所有者の了解の下に予め確保しておき、ＣＰＵに空きがあるか否かをモニタするようにし、空きが発生しているコンピュータにアプリケーションの実行を行わせるようにしても良い。これによれば、高性能なコンピュータを揃えなくても、サービスの規模に応じた安価なシステムからアプリケーション提供サービス事業を始めることが可能となる。このような手法をとる場合にも、上述の課金単価テーブル２Ｃは、有効に活用することができることとなる。
【００１９】
また、入力処理部２Ａは、ＡＳＰサーバ２と他のＡＳＰサーバ６との接続を制御する機能を有しており、ネットワークＡと通信回線１０Ｂとの接続部であるネットワーク接続部１１を制御する。例えば、ＡＳＰサーバ２側での処理量が増えた場合には、入力処理部２Ａの制御下で、ネットワーク接続部１１を介してＡＳＰサーバ２と他のＡＳＰサーバ６とを通信可能に接続し、ＡＳＰサーバ６側の処理コンピュータ７，８でアプリケーションを実行させるようにする。
【００２０】
一方、負荷状況監視用コンピュータ９は、個々の処理コンピュータの稼動状況を測定し、各処理コンピュータ毎のＣＰＵの負荷状況を監視する負荷状況監視部９Ａと、各処理コンピュータ毎の負荷状況を含む表示情報を生成する負荷状況表示部９Ｂとを備えている。負荷状況監視部９Ａで収集された各処理コンピュータ毎のＣＰＵの負荷状況は、ネットワークＡを介してＡＳＰサーバ２の入力処理部２Ａに提供される。また、負荷状況表示部９Ｂは、入力処理部２Ａの制御の下、各処理コンピュータ毎の負荷状況に加え、課金単価、利用可能なコンピュータ資源情報、課金係数等の各種情報を、利用者コンピュータ１の表示画面に表示させるための表示情報を生成する。
【００２１】
尚、本形態においては、各処理コンピュータの負荷状況を監視する負荷状況監視用コンピュータ９をＡＳＰサーバ２とは別に設けているが、この負荷状況監視用コンピュータ９の機能をＡＳＰサーバ２に備えるようにしても良い。また、負荷状況監視用コンピュータ９を別に設ける場合であっても、各処理コンピュータの負荷状況の監視専用とし、利用者コンピュータ１の表示画面に対する表示情報の生成機能は、ＡＳＰサーバ２に備えるようにしても良い。
【００２２】
次に、本実施の形態のアプリケーションサービスシステムにおける処理の流れを、図３に示すフローチャートを用い、図１の全体構成図を参照しながら説明する。尚、以下の説明で用いるＰ１〜Ｐ９は、図１に付されている処理の流れを表すものである。
【００２３】
先ず、ステップＳ１０において、アプリケーションを利用したい利用者（顧客）は、利用者コンピュータ１をＡＳＰサーバ２に接続し、パスワードやＩＤ等の登録情報の認証を経て入力処理部２Ａを起動させる（図１のＰ１）。そして、入力処理部２Ａが起動すると、ステップＳ２０において、利用者は、アプリケーションによる処理の対象とするデータと共に、アプリケーションを実行するために必要なコンピュータ資源条件を、入力処理部２Ａに入力する（図１のＰ２）。
【００２４】
ここで、コンピュータ資源条件としては、上述したように、利用するＣＰＵの種類、クロック周波数、メモリ容量、ハードディスク容量、実行の優先度、利用するアプリケーション名等である。尚、アプリケーションによる処理の対象とするデータの入力は、この段階ではなく、後述するステップＳ３０において、課金単価が算出され、この課金単価を利用者が確認した後に行うようにしても良い。
【００２５】
利用者によりコンピュータ資源条件が入力された後は、ステップＳ３０へ進み、負荷状況監視部９Ａから提供される各処理コンピュータ毎の負荷状況を確認する。この各処理コンピュータ毎の負荷状況は、所定時間毎に、負荷状況監視部９Ａから入力処理部２Ａに提供されている（図１のＰ８）。
【００２６】
続くステップＳ４０では、課金単価の算出処理及び処理コンピュータの選択処理を行う。すなわち、入力処理部２Ａは、利用者によって入力されたコンピュータ資源条件を使用料算出部２Ｂに渡すと共に、処理コンピュータ３〜５の中から利用者が入力したコンピュータ資源条件を満たす処理コンピュータを選択する。使用料算出部２Ｂは、入力処理部２Ａからコンピュータ資源条件を受取ると、コンピュータ資源条件を基に課金単価テーブル２Ｃを参照し、アプリケーション利用時の課金単価を算出する（図１のＰ３）。
【００２７】
このとき、入力処理部２Ａは、選択した処理用コンピュータの識別名、使用料算出部２Ｂで算出された課金単価、利用可能なコンピュータ資源情報、課金係数等のデータを負荷状況表示部９Ｂに送り、これらのデータを、負荷状況監視部９Ａで収集された各処理コンピュータ毎のＣＰＵ負荷状況と共に利用者コンピュータ１の表示画面上に表示させるための表示情報を生成させる。そして、生成された表示情報を、ネットワーク経由で利用者コンピュータ１の表示画面上に表示させる（図１のＰ９）。
【００２８】
図４は、利用者コンピュータ１の表示画面上に表示される画面表示例であり、表示画面の左半分には、ネットワークＡ及びＢに接続されている、利用可能な処理コンピュータのＣＰＵの負荷情報と課金単価とが、右半分には、利用可能な処理コンピュータに係るコンピュータ資源情報と対応する課金係数とが、それぞれ、表形式で表示されている。双方の表中、網掛け表示（反転表示）となっている項目は、利用者により入力されたコンピュータ資源条件に対応する項目であり、双方の表の間で、対応する欄が連動して網掛け表示となるようになっている。
【００２９】
尚、図４の画面表示例では、処理コンピュータとしてＰＣ３が選択されたことを示しており、ＰＣ１〜ＰＣ３は、利用者が接続しているＡＳＰの処理コンピュータ３，４，５を表し、ＰＣ７，ＰＣ８は、ＡＳＰと提携している他のＡＳＰの処理コンピュータ７，８を表している。
【００３０】
このように、課金単価と共に、ＣＰＵ負荷状況に係る情報を、利用者コンピュータ１の表示画面上に表示させることにより、入力処理部２Ａが選択した処理コンピュータが所望のＣＰＵ性能を発揮可能かどうかを確認することができ、尚且つ、処理を続行するか否か、続行する場合でもＡＳＰサーバ２が示した処理コンピュータを採用するか否か、等の判断材料を提供することが可能となる。
【００３１】
ここで、表示画面における網掛け表示は、双方の表の間で、対応する欄が連動して網掛け表示となるようになっている。すなわち、アプリケーションを実行するために必要なコンピュータ資源条件を入力すると、右表の対応するコンピュータ資源情報及び課金係数の欄が網掛け表示されると共に、その条件に合致する左表の処理コンピュータの欄が網掛け表示され、逆に、アプリケーションを実行する処理コンピュータを指定すると、左表の対応する処理コンピュータの欄が網掛け表示されると共に、右表の対応するコンピュータ資源情報及び課金係数の欄が網掛け表示される。
【００３２】
このような機能は、利用者が処理コンピュータの変更や指定を行う際に、コンピュータ資源情報を確認する上で有効であり、網掛け欄を利用者が処理コンピュータを指定する領域として使用することができる。すなわち、入力処理部２Ａにより選択されて網掛け表示された処理コンピュータの候補に対し、利用者がＣＰＵ負荷状況や課金単価等から判断して適切ではないと判断した場合には、利用者は、図５に示すように、ＣＰＵ負荷状況や課金単価等を参照して処理コンピュータを変更することができる（図５においては、ＰＣ３からＰＣ１へ変更）。この処理コンピュータの変更では、その変更に応じてコンピュータ資源情報の網掛け欄の位置も対応する位置に移動するので、変更後の処理コンピュータのコンピュータ資源情報を容易に確認することができ、利用者が指定した処理コンピュータを任意に選択することが可能となる。
【００３３】
以上により、処理コンピュータを選択した後は、ステップＳ４０からステップＳ５０へ進み、利用者により、最終的にデータ処理を実行する処理コンピュータが決定される。この決定を受けて、入力処理部２Ａは、該当する処理コンピュータを確定し、アプリケーションによる処理の対象とするデータを通信回線１０Ａを介して送信する（図１のＰ４）。ここでは、処理コンピュータ４が選択されて確定されたものとする。
【００３４】
尚、処理コンピュータを確定する際に、ＡＳＰサーバ２の自己のネットワーク内に利用可能な処理コンピュータがなく、しかもアプリケーションの優先度が高い場合には、ネットワーク接続部１１を制御して、同様なサービスを提供している他のＡＳＰサーバ６に通信可能に接続し、通信回線１０Ｂを介してアプリケーションによる処理の対象とするデータを送信することで、そのＡＳＰサーバ６の処理コンピュータ７（又は処理コンピュータ８）を利用してアプリケーションを実行するようにしても良い（図１のＰ４’）。
【００３５】
ステップＳ５０に続くステップＳ６０では、データを受信した処理コンピュータ４は、アプリケーションの実行開始時刻を記録し、受信したデータに対してアプリケーションを実行する。そして、アプリケーションの実行が終了すると、処理コンピュータ４は、アプリケーションの実行終了時刻を記録する（図１のＰ５、処理コンピュータ７を用いる場合はＰ５’）。
【００３６】
次に、ステップＳ７０において、処理コンピュータ４は、アプリケーションの実行結果と、アプリケーションの実行開始時間及び実行終了時間とを、入力処理部２Ａに渡し、入力処理部２Ａは、アプリケーションの実行開始時間と実行終了時間とを使用料算出部２Ｂに渡す。使用料算出部２Ｂは、受け取ったアプリケーション実行開始時間と実行終了時間、及び課金単価から使用料を算出し、入力処理部２Ａに渡す（図１のＰ６）。その後、ステップＳ８０において、入力処理部２Ａは、アプリケーションの実行結果と使用料とを合わせて、利用者コンピュータ１に送信・通知する（図１のＰ７）。
【００３７】
以上のように、本実施の形態のアプリケーションサービスシステムでは、各処理コンピュータの負荷状況と共に、ＡＳＰサーバ２内の課金単価テーブル２Ｃの情報も併せて一覧表示することにより、アプリケーションサービスを利用する時点でのコンピュータの負荷状況を利用者が知ることができ、データ処理を実行させたい処理コンピュータが負荷の重い稼動状態にあり、本来のデータ処理性能の発揮が期待できない場合であっても、他の負荷の軽い、或いは遊休中のコンピュータへ選択を変更する判断材料と自由度を利用者に提供することが可能となる。ここで、利用者が選択を変更した処理コンピュータの課金単価を、課金単価テーブル２Ｃから予め知ることが可能なことは明らかであり、実際に利用するコンピュータ資源に対応した適正な使用料の算出が可能となる。
【００３８】
尚、以上の説明では、コンピュータ資源条件の入力を、負荷状況表示画面とは異なるタイミングで入力するようにしているが、負荷状況表示画面上に、コンピュータ資源条件の入力を行う欄を設けて入力させるようにしても良いし、表中の該当欄を選択することで、コンピュータ資源条件の入力を行うようにしても良い。また、コンピュータ資源条件ではなく、図４の左下の領域に示すように、処理コンピュータを直接指定し、コンピュータ資源情報を確認するようにしても良い。
【図面の簡単な説明】
【００３９】
【図１】アプリケーションサービスシステムの全体構成図
【図２】課金単価テーブルの説明図
【図３】アプリケーションサービスシステムにおける処理手順を示すフローチャート
【図４】負荷状況及び課金単価の画面表示例を示す説明図
【図５】負荷状況及び課金単価の画面表示例を示す説明図
【符号の説明】
【００４０】
１  利用者コンピュータ
２  ＡＳＰサーバ
２Ｃ  課金単価テーブル
３，４，５  処理コンピュータ
６  他のＡＳＰサーバ
７，８  処理コンピュータ
Ａ，Ｂ  ネットワーク
９  負荷状況監視用コンピュータ
代理人      弁理士      伊    藤      進
【図１】
2005135033.tif 000003
【図２】
2005135033.tif 000004
【図３】
2005135033.tif 000005
【図４】
2005135033.tif 000006
【図５】
2005135033.tif 000007